(57)【要約】    【課題】  薄型で、かつ高品質な光学フィルタ及びそれを有する撮像装置を得ること。    【解決手段】  撮像光学系１の光路中に配置される光学フィルタ４であって、  該光学フィルタは接合された複数の光学部材を有し、該複数の光学部材は光学的異方性を有する有機物材料より成る１枚以上の有機物光学部材４３と、該有機物光学部材より光入射側に所定波長域の光束の通過を遮断する波長選択性部材４１が具備されていること。【選択図】    図１
2006126727.tif 000002
【特許請求の範囲】
【請求項１】
撮像光学系の光路中に配置される光学フィルタであって、
該光学フィルタは接合された複数の光学部材を有し、該複数の光学部材は光学的異方性を有する有機物材料より成る１枚以上の有機物光学部材と、該有機物光学部材より光入射側に所定波長域の光束の通過を遮断する波長選択性部材が具備されていることを特徴とする光学フィルタ。
【請求項２】
前記複数の光学部材は、複屈折作用によって入射光を常光線と異常光線に分離し、出射させる第１の光学部材、位相差変換作用によって入射光を常光線と異常光線の位相差を変換する第２の光学部材、そして複屈折作用によって入射光を常光線と異常光線に分離させる第３の光学部材であり、これらの光学部材がこの順に接合されており、
該第１、第２、第３の３枚の光学部材のうち、１枚以上の光学部材はフィルム状の有機物材料より成ることを特徴とする請求項１に記載の光学フィルタ。
【請求項３】
前記波長選択性部材は、蒸着して形成される誘電体蒸着膜を有し、該誘電体蒸着膜の波長３５０ｎｍの透過率をＴＵＶ、該誘電体蒸着膜の波長４５０ｎｍの透過率をＴＶＶとするとき、
ＴＵＶ＜１０（％）
８０（％）＜ＴＶＶ
なる条件を満足することを特徴とする請求項１に記載の光学フィルタ。
【請求項４】
撮像光学系の光路中に配置される光学フィルタであって、
該光学フィルタは光入射側から順に所定波長域の光束の通過を遮断する波長選択性部材、複屈折作用によって入射光を常光線と異常光線に分離させる第１の異方性光学部材、位相差変換作用によって入射光を常光線と異常光線の位相差を変換する第２の異方性光学部材、そして複屈折作用によって入射光を常光線と異常光線に分離させる第３の異方性光学部材を含み、かつ
該第１、第２、第３の３枚の異方性光学部材のうち、１枚以上の異方性光学部材はフィルム状の有機物材料より成ることを特徴とする光学フィルタ。
【請求項５】
前記波長選択性部材は、近紫外線及び近赤外線の光線を吸収する光学部材を基板とし、その光通過面に誘電体蒸着膜が蒸着されていることを特徴とする請求項１乃至４の何れか１項に記載の光学フィルタ。
【請求項６】
前記請求項１乃至５の何れか１項の光学フィルタを備えることを特徴とする撮像装置。
【発明の詳細な説明】
【技術分野】
【０００１】
本発明は撮像素子を使用して画像を形成するときに光路中に配置する光学フィルタに関し、例えばデジタルカメラやビデオカメラ等の撮像装置に好適なものである。
【背景技術】
【０００２】
従来、ＣＣＤやＣＭＯＳ等の固体撮像素子を用いた撮像装置において、高い周波数成分を持った被写体を撮像したときに撮像素子のサンプリング周波数に依存して発生する偽信号を低減させることを目的とした光学ローパスフィルタが種々と提案されている。
【０００３】
ＣＣＤ、ＣＭＯＳ等の撮像素子が２次元状に規則的に配列された画素とカラーフィルタを持つものであるため、少なくとも２方向の空間周波数のレスポンスを適切に制御するように構成することが望ましい。このような背景から撮像素子の一般的な配列方向となっている水平、垂直の２方向についてレスポンスを制御するように第１の水晶複屈折板と、水晶位相板と、第２の水晶複屈折板をこの順に配置した光学ローパスフィルタが知られている。
【０００４】
また、液晶性材料などの有機物の複屈折作用を利用することによって光学ローパスフィルタを構成するものも種々と提案されている（特許文献１、２、３参照）。
【０００５】
特許文献１、２、３では各々電界や磁界を印加することによって液晶性材料の分子の配向を所定方向として複屈折性を持つようにするという材料の製作方法とこの材料を光学ローパスフィルタとして使用する旨を開示している。
【０００６】
また水晶位相板の代わりに光学的異方性を持ったフィルム状の有機物材料を使用した光学ローパスフィルタが提案されている（特許文献４参照）。
【特許文献１】特開平６−３１７７７６号公報
【特許文献２】特開平８−１２２７０８号公報
【特許文献３】特開平１１−３０５１６８号公報
【特許文献４】特開２００２−３０３８２６号公報
【発明の開示】
【発明が解決しようとする課題】
【０００７】
水晶を利用した従来の光学ローパスフィルタは、一軸性単結晶の複屈折板、及び位相板を用いるものであるため、比較的低価格で安定して材料の生産と基板、加工ができる。しかしながら、常光線と異常光線の屈折率の差があまり大きくないために、単結晶基板を最も効率的に使用した場合でも、所望の光線の分離巾を得るために必要となる単結晶基板の厚さが厚くなるという問題点があった。
【０００８】
これに対して水晶と比較して常光線と異常光線の屈折率差の大きいニオブ酸リチウムを使用する光学ローパスフィルタは、常光線と異常光線の分離巾を同等とした場合でも水晶を使用する場合と比べて光学ローパスフィルタ全体を薄く構成することができる。
【０００９】
しかしながら、ニオブ酸リチウムの単結晶材料は、逆に薄く加工して使用する必要があるという点や、材料そのものの硬度等に依存して研磨基板の加工が難しく、また屈折率の高い材料であるために高度な反射防止処理も必要となって製造が難しいという問題点がある。
【００１０】
特許文献２、３で開示されるように電界または磁界を引加した状態で液晶性の有機物材料を固め、均質な複屈折性を持ったフィルム状の有機物材料を光学ローパスフィルタとして用いるとき、大多数の有機物材料は、近紫外線の照射によって化学変化を起こし、外観上、黄変劣化を示すという問題がある。この黄変劣化の問題は、太陽光に曝されることを想定するカメラ等の光学機器では無視できない問題であり、黄変劣化によって可視波長域の透過率の低下が発生すると被写体像の色再現性が著しく悪くなるという課題がある。
【００１１】
本発明は環境変化に強い薄型で、かつ高品質な光学フィルタ及びそれを有する撮像装置の提供を目的とする。
【課題を解決するための手段】
【００１２】
本発明の光学フィルタは、
撮像光学系の光路中に配置される光学フィルタであって、
該光学フィルタは接合された複数の光学部材を有し、該複数の光学部材は光学的異方性を有する有機物材料より成る１枚以上の有機物光学部材と、該有機物光学部材より光入射側に所定波長域の光束の通過を遮断する波長選択性部材が具備されていることを特徴としている。
【発明の効果】
【００１３】
本発明によれば有機物材料の薄さという利点を活用しつつ環境変化に対して強く薄型で、かつ高品質の光学フィルタが得られる。
【発明を実施するための最良の形態】
【００１４】
まず本実施例の概要について説明する。
【００１５】
本実施例は撮像素子としてモザイク状にカラーフィルタを配置して構成した１つの撮像素子によってカラー画像を形成するカメラ（撮像装置）に好適な光学フィルタを実現している。
【００１６】
撮像素子としてモザイク状にカラーフィルタを配置して構成した１つの撮像素子によってカラー画像を形成するカメラであって、銀塩フィルムを使用する一眼レフカメラにも装着するべく構成された撮影レンズを適用可能としたカメラにおいては、一般にカラーフィルタの配列が所定の規則性を持つように構成されていて、当該するカラーフィルタの配置されない画素の輝度信号は、その周囲に存在し当該カラーフィルタの配置された画素の輝度信号を用いて適宜補間することによって形成するように構成している。この際、補間によって形成される信号は、補間のピッチに応じた比較的高い空間周波数において偽信号を発生することになり、カラーフィルタの配列によって決定される偽の色信号として画像に表れることになる。この偽の色信号は、２次元状に画素およびカラーフィルタの配列された撮像素子では、その配列に規則性のある方向、一般には水平、垂直、斜め方向の特定の空間周波数において発生することになる。
【００１７】
そこで、撮像素子を用いる撮像系には、このような偽の色信号の強度を低減させる目的でこれらの２次元的方位の空間周波数に対してレスポンスを低下させるべく光学ローパスフィルタを具備することが求められる。このように２次元状にレスポンスを低下させるためには、撮影レンズから撮像素子に至る光線を２次元的に操作することが必要となる。
【００１８】
本実施例のフィルタ部材は、光学的異方性を有する有機物材料より成る１枚以上の光学部材（有機物光学部材）と、選択波長性部材とを適宜組み合わせて構成している。これによって撮影レンズから撮像素子に至る光線を２次元的に分離することによって、２次元状に所定の空間周波数に対するレスポンスを低下させる光学ローパスフィルタを十分に薄く構成している。同時にここで使用する有機物材料にとって有害となる近紫外線を遮断する手段（波長選択性部材）を設けることによって光学フィルタそのものの劣化を防止している。
【００１９】
一般的に正方形状の画素を有し、モザイク状のカラーフィルタを使用する撮像素子において、カラーフィルタの配列によって発生する偽の色信号の強度を低減させるための手法として、例えば撮影レンズから撮像素子に至る光線を水平、垂直の２方向にそれぞれ分離させ、４つの被写体像を撮像素子上に形成する機能を持った光学ローパスフィルタを具備するという手法が知られている。このような構成とすることによって水平、垂直、斜めの各方向で偽の色信号を発生させる特定の空間周波数に対して各々適切にレスポンスを低下させることが可能となる。
【００２０】
あるいは別の手法として、光線を水平線に対して第１の斜め４５°方向、第２の斜め４５°方向の２方向にそれぞれ分離させ、やはり４つの被写体像を形成する機能を持った光学ローパスフィルタを具備するという手法も知られている。
【００２１】
正方形状の画素を有し、モザイク状のカラーフィルタを使用する撮像素子においては、偽の色信号が強く発生する方向は、水平、垂直、及び斜め４５°の両方向であるため、これらの偽の色信号を効率良く低減させるためには、上記２つの手法のように互いに直交する２方向に像を分離させる構成とすることが望ましい。
【００２２】
本実施例で使用するフィルム状の有機物材料は、一軸性を有する有機物材料を使用することを想定しているが、各々の材料の作用から異なる特性を持った材料を組み合わせて使用しても良い。つまり、例えば上記の複屈折作用によって常光線と異常光線を光軸に対して垂直な面内で分離させる第１の光学部材として液晶性材料の分子の配向を所定方向として複屈折性を持つようにした有機物材料を使用するようにし、位相差変換作用によって常光線と異常光線の位相差を変換する第２の光学部材として所定方向に延伸して一軸性を持つようにした所定の厚さの有機物材料を使用し、さらに複屈折作用によって常光線と異常光線を光軸に対して垂直な面内で分離させる第３の光学部材として液晶性材料の分子の配向を所定方向として複屈折性を持つようにした有機物材料を使用しても良い。もちろん、いずれかの光学部材として水晶やニオブ酸リチウムの単結晶基板を使用しても良い。
【００２３】
ＣＣＤやＣＭＯＳ等の固体撮像素子では、シリコンの光電変換作用を利用するため、撮像素子そのものの詳細構造による相違はあるもののシリコンの光電変換特性によって概ね決定される分光感度を持っている。そのため撮影装置を構成する際には、撮像素子の分光感度と視感度の相違を補正するための視感度補正フィルタを具備することが必要となっている。そこで視感度補正のために主として近赤外線を遮断することを目的に色ガラスフィルタや誘電体蒸着膜を光学フィルタとして使用するのが一般的となっている。
【００２４】
色ガラスフィルタのみによって有害波長域の光線を遮断しようとすると、可視波長域の透過率の低下、即ち感度の低下を招き、誘電体蒸着膜のみによって遮断しようとすると有害光が反射光となってゴーストを発生させる場合がある。そこで色ガラスフィルタと誘電体蒸着膜を併用した光学フィルタを使用することが望まれている。
【００２５】
この他、本実施例のさらなる特徴は以下の実施例において記載される。
【実施例１】
【００２６】
図１は本発明の実施例１の光学フィルタを有する一眼レフレックスカメラ（撮像装置）の要部断面図である。
【００２７】
同図において１は交換可能な撮影レンズとしての撮影光学系、２は回動ミラー（クイックリターン（ＱＲ）ミラー）であり、撮影時には回動して撮影光学系１の光路から退避している。３はフォーカルプレーンシャッタであり、露光時間を機械的に制限している。４は本発明に関わる光学フィルタであり、撮像光学系１の像面側の光路中に配置され、後述する複数の光学部材が接合されて構成されている。５は撮像手段としての撮像素子（ＣＣＤやＣＭＯＳ等の固体撮像素子で構成される）であり、撮像光学系１の予定焦点面に配置されている。６は焦点板であり、被写体像が形成されている。７はファインダー光学系であり、焦点板６に形成される被写体像を反転する像反転手段としてのペンタダハプリズム８と接眼レンズ９等を有している。
【００２８】
本実施例において撮像光学系１によって結像される被写体像は、回動ミラー２がその光路内に配置されているときには焦点板６に形成される。焦点板６に形成された被写体像は、ファインダー光学系６よりファインダー像として観察されており、不図示のレリーズスイッチによって撮影動作が開始されると、回動ミラー２が撮影光学系１の光路外に退避し、フォーカルプレーンシャッタ３が開放動作を行うことによって、光学フィルタ４を介して撮像素子５の撮像面上に形成される。そして撮像素子５からは撮像信号が出力され、不図示のメモリーに格納される。
【００２９】
図２（Ａ）、（Ｂ）は各々図１に示した光学フィルタ４の説明図であり、同図（Ａ）は光学フィルタ４の要部断面図、同図（Ｂ）は光学フィルタ４の分解斜視図である。
【００３０】
図２（Ａ）、（Ｂ）において、４１は波長選択性部材（近紫外線遮断手段）としての色ガラスフィルタ基板（光学部材）より成り、その基板の表面（光通過面）に近紫外線及びを近赤外線の有害光を遮断する光学薄膜（誘電体蒸着膜）が蒸着されている。
【００３１】
４２は第１の光学部材としてのニオブ酸リチウムを利用した複屈折板（第１の異方性光学部材）である。
【００３２】
４３は第２の光学部材としての位相フィルム（第２の異方性光学部材・有機物光学部材）であり、光学的異方性を有する有機物材料を延伸して構成されている。
【００３３】
４４は第３の光学部材としてのニオブ酸リチウムを利用した複屈折板（第３の異方性光学部材）である。
【００３４】
本実施例では光入射側から順に複屈折板４２、位相フィルム４３、そして複屈折板４４をこの順に配置することによって、所定の空間周波数に対するレスポンスを低下させる光学ローパスフィルタを構成している。
【００３５】
また本実施例では有機物材料より成る位相フィルム４３の物体側に配置した色ガラスフィルタ基板４１によって入射光より不要な波長域の光線を遮断している。
【００３６】
複屈折板４２は、複屈折作用によって入射光を所定の振動面を持った直線偏光状態の常光線と異常光線に分離させ、このうちの異常光線のみを撮影画面の水平方向に所定量だけ移動させる機能を持っている。
【００３７】
位相フィルム４３は、光学軸をフィルム面内で水平線から４５°だけ回転させて配置したλ／４板を構成しており、位相差変換作用によって複屈折板４２から射出する直線偏光状態の光線を円偏光状態に変換する機能を持っている。
【００３８】
複屈折板４４は、複屈折作用によって入射光を所定の振動面を持った直線偏光状態の常光線と異常光線に分離させ、このうちの異常光線のみを撮影画面の垂直方向に所定量だけ移動させる機能を持っている。
【００３９】
本実施例では、このように複屈折板４２、位相フィルム４３、そして複屈折板４４を組み合わせて構成することによって、入射光を水平方向及び垂直方向に各々所定量だけ離れた位置に略等しい強度を持った４つの射出光に変換して射出する機能を持つようにして、所定の空間周波数のレスポンスを低下させる光学ローパスフィルタを実現している。
【００４０】
色ガラスフィルタ基板４１では、近紫外線（２５０ｎｍ〜４００ｎｍ）及び近赤外線（７００ｎｍ〜１１００ｎｍ）を吸収する光学材料を基板とし、かつ光通過面、例えば光入射側（物体側）表面に近紫外線及び近赤外線を反射する光学薄膜（誘電体蒸着膜）を蒸着している。ここで近紫外線を遮断するのは有機物材料より成る位相フィルム４３の化学変化を防止するためであり、また近赤外線を遮断するのは撮像素子５の分光感度を視感度に近似させるためである。
【００４１】
光学的異方性を有するフィルム状の有機物材料としては、ポリカーボネート樹脂やアモルファスポリオレフィン樹脂が一般的に用いられているが、これらの有機物材料は近紫外線の照射に対して化学変化によって黄変劣化を発生させる。例えばポリカーボネート樹脂では、この黄変劣化を発生させる波長は２９０ｎｍ前後と推定されているため、この付近の波長の近紫外線が位相フィルム４３に到達する前に遮断するような構成とすることが必要となる。
【００４２】
一方、シリコンの光電変換作用を利用する一般的な撮像素子においては、撮像素子そのものの詳細構造による相違はあるもののシリコンの光電変換特性によって概ね決定される分光感度を持つことになる。ここで決定される分光感度は人間の目が持つ視感度と比べ、はるかに赤外波長域の感度が高くなる傾向にあるため撮像素子の出力を視感度と略同等とするために赤外波長域の光線を適切に遮断することが必要となる。
【００４３】
本実施例の色ガラスフィルタ基板４１は概略的に視感度に近い分光透過率特性を持った波長域の光線を透過させ、それ以外の光線を吸収する性質を持ったフィルタ基板を用いている。位相フィルム４３が有害な近紫外線を遮断するのが不十分で、また撮影結果の色再現に有害となる近赤外線を遮断するのが不十分なときには、色ガラスフィルタ基板４１の物体側表面に所定の分光透過率特性を持った光学薄膜（誘電体蒸着膜）を蒸着して近紫外線及び近赤外線の有害光を反射させる構成とするのが良い。
【００４４】
本実施例の光学フィルタ４の分光特性を図３に示す。同図において４１１は色ガラスフィルタ基板４１そのものの分光透過率特性、４１２は色ガラスフィルタ基板４１の物体側表面に蒸着された光学薄膜の分光透過率特性、４１３は色ガラスフィルタ基板４１とその物体側表面に蒸着された光学薄膜を合成した光学フィルタ４全体の分光透過率特性を表している。この際、光学フィルタ４を構成するその他の光学部材及びその他の面における分光透過率の低下は少ないものとして無視している。
【００４５】
本実施例では図３に示されるような分光透過率特性を持った光学フィルタ４を用いることによって、波長３５０ｎｍ付近以下の近紫外線波長域の透過率を低下させ、波長４００ｎｍ付近から６５０ｎｍ付近までの可視波長域の透過率を高く維持し、波長７００ｎｍ付近以上１１００ｎｍ付近までの近赤外線波長域の透過率を低下させるようにしている。特に本実施例では色ガラスフィルタ基板４１の物体側表面に蒸着する光学薄膜の分光透過率特性を図３の点線４１２に示したような特性として波長３５０ｎｍ付近以下の近紫外線波長域の光線を遮断して、有機物材料より構成される位相フィルム４３の化学変化による劣化を防止している。
【００４６】
尚、波長３５０ｎｍにおいては、本実施例の色ガラスフィルタ基板４１そのものの透過率は約５８％、色ガラスフィルタ基板４１の物体側表面に蒸着する光学薄膜の透過率は約０％であって、本実施例においては光学薄膜によって実質的に近紫外線を遮断する構成としている。
【００４７】
また波長４５０ｎｍにおいては色ガラスフィルタ基板４１の物体側表面に蒸着する光学薄膜の透過率は略９８％であって、実質的に可視波長域の透過率を低下させない構成としている。
【００４８】
即ち、本実施例で用いる誘電体蒸着膜の波長３５０ｎｍの透過率をＴＵＶ、該誘電体蒸着膜の波長４５０ｎｍの透過率をＴＶＶとするとき、
ＴＵＶ＜  １０（％）  ・・・・・・・・・・・・・・（１）
８０（％）＜ＴＶＶ    ・・・・・・・・・・・・・・（２）
なる条件を満足するように構成している。本実施例においては上記の如く条件式（１），（２）に対して
ＴＵＶ＝  ０（％）＜１０（％）
ＴＶＶ＝８０（％）＜９８（％）
なる条件を満足する関係になっている。
【００４９】
上記条件式（１）、（２）は、各々複屈折性を有する液晶性材料や延伸によって一軸性を持つようにした有機物材料が化学変化を起こす近紫外線波長域の透過率を低くし、視感度に対応する可視波長域の透過率を高くするものである。条件式（１）、（２）を外れると被写体像の色再現性が悪くなるので良くない。本実施例の如く誘電体の多層膜蒸着という手法を用いれば既存技術の適用により比較的簡単に実現することができる。
【００５０】
更に好ましくは上記条件式（１），（２）を次の如く設定するのが良い。
【００５１】
０（％）≦ＴＵＶ＜  ５（％）  ・・・・・・・・・・・・・（１ａ）
９０（％）＜ＴＶＶ≦  １００（％）  ・・・・・・・・・・・（２ａ）
本実施例の光学フィルタ４を透過した被写体光は撮像素子５に到達して像信号を出力する。このとき形成される被写体像の分光感度を図４に示す。
【００５２】
同図において４１３は図３に示した光学フィルタ４全体を透過する光線の分光透過率に対応する相対感度、５１１は撮像素子５の光電変換部の分光感度、５１２は光学フィルタ４全体の分光透過率４１３と撮像素子５の分光感度５１１の掛け合わせによって得られる本実施例の撮像装置の分光感度を表している。
【００５３】
本実施例の光学フィルタ４は図４に示されるように波長７００（ｎｍ）付近以上１１００（ｎｍ）付近までの近赤外線波長域の透過率を低下させるように構成して、主としてシリコンの特性によって決定される撮像素子５と人間の目の感度との分光感度の相違の補正機能を併せ持つようにしている。
【００５４】
本実施例の光学フィルタ４を適用した撮像装置の色信号の分光感度と人間の目のスペクトル３刺激値の比較を図５に示す。
【００５５】
同図においてＣ−Ｂ、Ｃ−Ｇ、Ｃ−Ｒは各々本実施例を適用した撮像装置の３つの色信号の分光感度、Ｅ−Ｂ、Ｅ−Ｇ、Ｅ−Ｒは各々人間の目のスペクトル３刺激値を表している。同図に示されるように本実施例の光学フィルタ４では撮像装置の色信号の分光感度を人間の目と類似の特性を持つように良好な色再現を可能としている。
【００５６】
以上説明したように本実施例では有機物材料の特性上の課題を考慮し、特にモザイク状にカラーフィルタを配置して構成した大面積の撮像素子を使用する一眼レフレックスカメラに好適となるように薄型で、かつ高品質の光学フィルタを実現している。
【実施例２】
【００５７】
図６（Ａ）、（Ｂ）は各々本発明の実施例２の光学フィルタの説明図であり、同図（Ａ）は要部断面図、同図（Ｂ）は分解斜視図である。
【００５８】
本実施例において前述の実施例１と異なる点は光学フィルタ１４を、光入射側（物体側）から色ガラスフィルタ基板７１、第１の複屈折フィルム７２、水晶位相板７３、そして第２の複屈折フィルム７４の順に接合して構成したことである。その他の構成及び光学的作用は実施例１と略同様であり、これにより同様な効果を得ている。
【００５９】
即ち、図６（Ａ）、（Ｂ）において波長選択性部材（近紫外線遮断手段）としての色ガラスフィルタ基板７１は、その基板の表面（光通過面）に近紫外線及びを近赤外線の有害光を遮断する光学薄膜（誘電体蒸着膜）が蒸着されている。７２は液晶性材料（有機物材料）より成る第１の光学部材としての第１の複屈折フィルムであり、複屈折作用によって常光線と異常光線を光軸に対して垂直な面内で分離させている。７３は第２の光学部材としての水晶位相板であり、位相差変換作用によって常光線と異常光線の位相差を変換している。７４は液晶性材料より成る第３の光学部材としての第２の複屈折フィルムであり、複屈折作用によって常光線と異常光線を光軸に対して垂直な面内で分離させている。
【００６０】
本実施例では第１の複屈折フィルム７２、水晶位相板７３、そして第２の複屈折フィルム７４を光入射側より順に配置することによって、所定の空間周波数に対するレスポンスを低下させる光学ローパスフィルタを構成しており、また誘電体多層膜を蒸着した色ガラスフィルタ７１によって不要な波長域の光線を遮断している。
【００６１】
本実施例によれば前述の実施例１と略同等の機能を持った光学フィルタ１４を比較的簡易な構成（低コスト）で実現できるという特徴がある。
【００６２】
ただし本実施例の構成では水晶位相板の位相差変換作用の波長依存性があるときは、水晶位相板をより厚くするのが良い。
【実施例３】
【００６３】
図７（Ａ）、（Ｂ）は各々本発明の実施例３の光学フィルタの説明図であり、同図（Ａ）は光学フィルタの要部断面図、同図（Ｂ）は光学フィルタの分解斜視図である。
【００６４】
本実施例において前述の実施例１と異なる点は光学フィルタ２４を、光入射側（物体側）から色ガラスフィルタ基板８１、第１の複屈折フィルム８２、位相フィルム８３、そして第２の複屈折フィルム８４の順に接合して構成したことである。その他の構成及び光学的作用は実施例１と略同様であり、これにより同様な効果を得ている。
【００６５】
即ち、図７（Ａ）、（Ｂ）において８１は波長選択性部材（近紫外線遮断手段）としての色ガラスフィルタ基板であり、その表面（光通過面）に近紫外線及びを近赤外線の有害光を遮断する光学薄膜（誘電体蒸着膜）が蒸着されている。８２は液晶性材料（有機物材料）より成る第１の光学部材としての第１の複屈折フィルムであり、複屈折作用によって常光線と異常光線を光軸に対して垂直な面内で分離させている。８３は第２の光学部材としての位相フィルムであり、光学的異方性を有する有機物材料を延伸して構成されている。８４は液晶性材料より成る第３の光学部材としての第２の複屈折フィルムであり、複屈折作用によって常光線と異常光線を光軸に対して垂直な面内で分離させている。
【００６６】
本実施例では第１の複屈折フィルム８２、位相フィルム８３、第２の複屈折フィルム８４を光入射側より順に配置することによって、所定の空間周波数に対するレスポンスを低下させる光学ローパスフィルタを構成しており、また誘電体多層膜を蒸着した色ガラスフィルタ基板８１によって不要な波長域の光線を遮断している。
【００６７】
本実施例によれば前述の実施例１、２と略同等の機能を持った光学フィルタ２４をより薄型化して実現できるという特徴がある。
【００６８】
尚、以上説明した各実施例では近紫外線を遮断する構成として色ガラスフィルタと誘電体多層膜の蒸着を併用する構成としたが、これに限らず、例えば製造コストと要求性能のバランスから色ガラスフィルタのみ、もしくは誘電体多層膜の蒸着のみとしても良い。
【００６９】
このように各実施例では、ＣＣＤやＣＭＯＳ等の固体撮像素子を用いた撮像装置において、高い周波数成分を持った被写体によって発生する偽信号を低減させるローパスフィルタや有害光を遮断する波長選択フィルタといった光学フィルタを、カメラの撮影光学系の光路中の狭い空間に配置可能な薄型で、かつ高品質なものとすることができる。特に大面積の光学フィルタを必要とする大型の撮像素子を用いたレンズ交換式の撮像装置に性能面の他に製造コスト面でも好適となる光学フィルタを実現することができる。
【図面の簡単な説明】
【００７０】
【図１】本発明の実施例１の光学フィルタを用いた一眼レフレックスカメラの要部断面図
【図２】図１に示した光学フィルタの説明図
【図３】本発明の実施例１の光学フィルタの分光特性図
【図４】本発明の実施例１の撮像素子等の分光感度の説明図
【図５】本発明の実施例１の撮像装置の色信号の説明図
【図６】本発明の実施例２の光学フィルタの説明図
【図７】本発明の実施例３の光学フィルタの説明図
【符号の説明】
【００７１】
１  撮影レンズ
２  ＱＲミラー
３  フォーカルプレーンシャッタ
４、１４、２４  光学フィルタ
５  撮像素子
６  焦点板
７  ファインダー光学系
８  ペンタダハプリズム
９  接眼レンズ
４１、４２、４３、４４  光学部材
７１、７２、７３、７４  光学部材
８１、８２、８３、８４  光学部材
【図１】
2006126727.tif 000003
【図２】
2006126727.tif 000004
【図３】
2006126727.tif 000005
【図４】
2006126727.tif 000006
【図５】
2006126727.tif 000007
【図６】
2006126727.tif 000008
【図７】
2006126727.tif 000009